(57)【特許請求の範囲】
【請求項１】
半導体チップと、
前記半導体チップの上面に設けられ、互いに離間した第１及び第２の電極と、
前記第１の電極に接合された第１の接合部と、前記第２の電極に接合された第２の接合部とを有する配線部材と、
前記半導体チップ、前記第１及び第２の電極、及び前記配線部材を封止する樹脂とを備え、
前記第１の接合部と前記第２の接合部との間において前記配線部材を上下に貫通する穴が設けられ、
前記配線部材の幅方向の片側が上方に折り曲げられていることを特徴とする半導体装置。
【請求項２】
半導体チップと、
前記半導体チップの上面に設けられ、互いに離間した第１及び第２の電極と、
前記第１の電極に接合された第１の接合部と、前記第２の電極に接合された第２の接合部とを有する配線部材と、
前記半導体チップ、前記第１及び第２の電極、及び前記配線部材を封止する樹脂とを備え、
前記第１の接合部と前記第２の接合部との間において前記配線部材を上下に貫通する穴が設けられ、
前記穴の周囲において前記配線部材が煙突状に上方に突き出していることを特徴とする半導体装置。
【請求項３】
前記第１の電極と前記第２の電極との間において前記半導体チップの前記上面に設けられ、前記第１及び第２の電極に接続されていない配線を更に備えることを特徴とする請求項１又は２に記載の半導体装置。
【請求項４】
前記穴は長穴であることを特徴とする請求項１〜３の何れか１項に記載の半導体装置。
【請求項５】
前記半導体チップはワイドバンドギャップ半導体によって形成されていることを特徴とする請求項１〜４の何れか１項に記載の半導体装置。
【発明の詳細な説明】
【技術分野】
【０００１】
本発明は、半導体装置及びその製造方法に関する。
【背景技術】
【０００２】
電気自動車又は電車等のモータを制御するインバータ又は回生用のコンバータに半導体装置が用いられている。半導体装置において半導体チップの上面のエミッタ電極と配線部材ははんだ接合される（例えば、特許文献１参照）。
【先行技術文献】
【特許文献】
【０００３】
【特許文献１】日本特開２０１４−８６５０１号公報
【発明の概要】
【発明が解決しようとする課題】
【０００４】
半導体チップの上面には温度センス又はゲートなどの配線を有するため、エミッタ電極が複数に分離されることがある。複数のエミッタ電極と配線部材との接合部も複数になる。互いに近接した接合部間はトンネルになるため、樹脂封止の際にトンネルの両開口部から樹脂が流入して空気が閉じ込められて気泡となる。この気泡により信頼性が低下し、絶縁性が低下するという問題があった。【０００５】
その対策として、減圧雰囲気で樹脂注入するか、樹脂と製品を加熱した状態で樹脂の粘度を下げて回り込みやすくすることも可能だが、設備コストと加工コストが上昇するという問題があった。【０００６】
本発明は、上述のような課題を解決するためになされたもので、その目的は低コストで樹脂内の気泡の発生を抑制することができる半導体装置及びその製造方法を得るものである。
【課題を解決するための手段】
【０００７】
本発明に係る半導体装置は、半導体チップと、前記半導体チップの上面に設けられ、互いに離間した第１及び第２の電極と、前記第１の電極に接合された第１の接合部と、前記第２の電極に接合された第２の接合部とを有する配線部材と、前記半導体チップ、前記第１及び第２の電極、及び前記配線部材を封止する樹脂とを備え、前記第１の接合部と前記第２の接合部との間において前記配線部材を上下に貫通する穴が設けられ、前記配線部材の幅方向の片側が上方に折り曲げられていることを特徴とする。
【発明の効果】
【０００８】
本発明では、樹脂封止の際に、第１及び第２の接合部間の空気が配線部材の穴から上方に抜ける。これにより、低コストで樹脂内の気泡の発生を抑制することができる。
【図面の簡単な説明】
【０００９】
【図１】本発明の実施の形態１に係る半導体装置を示す斜視図である。
【図２】本発明の実施の形態１に係る半導体装置の主要部を示す平面図である。
【図３】図２のＩ−ＩＩに沿った断面図である。
【図４】図２のＩＩＩ−ＩＶに沿った断面図である。
【図５】本発明の実施の形態１に係る半導体装置の製造工程を示す断面図である。
【図６】本発明の実施の形態１に係る半導体装置の製造工程を示す断面図である。
【図７】比較例に係る半導体装置の主要部を示す平面図である。
【図８】比較例に係る半導体装置の製造工程を示す断面図である。
【図９】比較例に係る半導体装置の製造工程を示す断面図である。
【図１０】比較例に係る半導体装置の製造工程を示す断面図である。
【図１１】本発明の実施の形態２に係る半導体装置の製造工程を示す断面図である。
【図１２】本発明の実施の形態３に係る半導体装置の主要部を示す断面図である。
【図１３】本発明の実施の形態３に係る半導体装置の製造工程を示す断面図である。
【図１４】本発明の実施の形態４に係る半導体装置の主要部を示す断面図である。
【図１５】本発明の実施の形態４に係る半導体装置の製造工程を示す断面図である。
【発明を実施するための形態】
【００１０】
本発明の実施の形態に係る半導体装置及びその製造方法について図面を参照して説明する。同じ又は対応する構成要素には同じ符号を付し、説明の繰り返しを省略する場合がある。
【００１１】
実施の形態１．
図１は、本発明の実施の形態１に係る半導体装置を示す斜視図である。ケース１の内部は樹脂２で封止されている。ケース１は樹脂２が漏れないような構造になっている。ケース１には、コレクタ出力部３、エミッタ出力部５及び信号端子６が設けられている。
【００１２】
図２は、本発明の実施の形態１に係る半導体装置の主要部を示す平面図である。図３は、図２のＩ−ＩＩに沿った断面図である。図４は、図２のＩＩＩ−ＩＶに沿った断面図である。
【００１３】
基板７はケース１の底面に接着されている。基板７の電極８はコレクタ出力部３に接続されている。半導体チップ９の下面のコレクタ電極１０がはんだ１１により基板７の電極８に接合されている。半導体チップ９はＩＧＢＴであるが、ＭＯＳＦＥＴ、ＳＢＤ又はＰＮダイオードなどでもよい。
【００１４】
半導体チップ９の上面に、互いに離間した第１及び第２のエミッタ電極１２，１３が設けられている。第１のエミッタ電極１２と第２のエミッタ電極１３との間において半導体チップ９の上面に、第１及び第２のエミッタ電極１２，１３に接続されていない配線１４が設けられている。配線１４は温度センス又はゲートなどに接続されている。この配線１４が有るために、エミッタ電極は第１及び第２のエミッタ電極１２，１３に分離されている。配線１４は、図示しないアルミワイヤなどにより信号端子６に接続されている。従って、信号端子６及び配線１４を通って、入力信号が半導体チップ９のゲートに入力され、又は、半導体チップ９から温度出力信号が出力される。
【００１５】
配線部材１５の第１の接合部１５ａがはんだ１６により第１のエミッタ電極１２に接合されている。配線部材１５の第２の接合部１５ｂがはんだ１７により第２のエミッタ電極１３に接合されている。配線部材１５はエミッタ出力部５に接続されている。
【００１６】
樹脂２が、半導体チップ９、第１及び第２のエミッタ電極１２，１３、及び配線部材１５等を封止する。第１の接合部１５ａと第２の接合部１５ｂとの間において配線部材１５を上下に貫通する穴１８が設けられている。
【００１７】
続いて、本実施の形態に係る半導体装置の製造方法を説明する。図５及び図６は、本発明の実施の形態１に係る半導体装置の製造工程を示す断面図である。図５及び図６は図４の断面図に対応する。
【００１８】
まず、配線部材１５の第１の接合部１５ａと第２の接合部１５ｂとの間において配線部材１５を上下に貫通する穴１８を形成する。次に、半導体チップ９の上面に設けられ互いに離間した第１及び第２のエミッタ電極１２，１３をそれぞれ配線部材１５の第１及び第２の接合部１５ａ，１５ｂに接合する。これにより、図５に示す樹脂封止前の状態になる。次に、図６に示すように、配線部材１５のサイドから樹脂２を注入すると、第１及び第２の接合部１５ａ，１５ｂ間のトンネル内の空気が配線部材１５の穴１８から上方に抜ける。
【００１９】
続いて、本実施の形態の効果を比較例と比較して説明する。図７は、比較例に係る半導体装置の主要部を示す平面図である。比較例では配線部材１５に穴１８が形成されていない。図８から図１０は、比較例に係る半導体装置の製造工程を示す断面図である。図８から図１０は図４の断面図に対応する。図８は樹脂封止前の状態を示す。
【００２０】
樹脂２は一般的に硬化前であっても粘度が高く流動性が悪い。従って、図９に示すように、配線部材１５のサイドから樹脂２を注入すると、配線部材１５の下の隙間よりも先に配線部材１５の上を流れて進む。このため、第１及び第２の接合部１５ａ，１５ｂ間のトンネルの両開口部から樹脂２が流入して配線部材１５の下に空気が閉じ込められて気泡１９となる。この気泡により信頼性が低下し、絶縁性が低下する。
【００２１】
これに対して、本実施の形態では、樹脂封止の際に、第１及び第２の接合部１５ａ，１５ｂ間の空気が配線部材１５の穴１８から上方に抜ける。これにより、低コストで樹脂２内の気泡の発生を抑制することができる。また、穴１８を第１及び第２の接合部１５ａ，１５ｂ間のトンネルに沿って延びる長穴にすることで、空気が更に抜けやすくなる。
【００２２】
実施の形態２．
図１１は、本発明の実施の形態２に係る半導体装置の製造工程を示す断面図である。本実施の形態では、穴１８から配線部材１５の下方に向かって樹脂２を注入して半導体チップ９、第１及び第２のエミッタ電極１２，１３、及び配線部材１５を封止する。その他の工程は実施の形態１と同様である。配線部材１５の下方の空気は樹脂２により外側へ押し出されるため、樹脂２内の気泡の発生を抑制できる。
【００２３】
実施の形態３．
図１２は、本発明の実施の形態３に係る半導体装置の主要部を示す断面図である。本実施の形態では、配線部材１５の幅方向の片側が上方に折り曲げられている。
【００２４】
図１３は、本発明の実施の形態３に係る半導体装置の製造工程を示す断面図である。配線部材１５の折り曲げた部分がダムとなって配線部材１５の上を流れる樹脂２を一時的にせき止める。これにより、樹脂２の回り込みが遅れるため、配線部材１５の下方のトンネルに片側から樹脂２を流入させて空気を押し出すことで、樹脂２内の気泡の発生を抑制できる。なお、配線部材１５に穴１８がなくても同様の効果を得ることができる。
【００２５】
実施の形態４．
図１４は、本発明の実施の形態４に係る半導体装置の主要部を示す断面図である。本実施の形態では、穴１８の周囲において配線部材１５が煙突状に上方に突き出している。
【００２６】
図１５は、本発明の実施の形態４に係る半導体装置の製造工程を示す断面図である。配線部材１５の上を流れる樹脂２は、煙突状に上方に突き出した部分により穴１８の上にかぶさり難くなる。このため、穴１８から空気が抜けやすくなり、樹脂２内の気泡の発生を抑制できる。
【００２７】
なお、半導体チップ９は、珪素によって形成されたものに限らず、珪素に比べてバンドギャップが大きいワイドバンドギャップ半導体によって形成されたものでもよい。ワイドバンドギャップ半導体は、例えば、炭化珪素、窒化ガリウム系材料、又はダイヤモンドである。このようなワイドバンドギャップ半導体によって形成された半導体チップは、耐電圧性や許容電流密度が高いため、小型化できる。この小型化された半導体チップを用いることで、この半導体チップを組み込んだ半導体装置も小型化できる。また、半導体チップの耐熱性が高いため、ヒートシンクの放熱フィンを小型化でき、水冷部を空冷化できるので、半導体装置を更に小型化できる。また、半導体チップの電力損失が低く高効率であるため、半導体装置を高効率化できる。
【符号の説明】
【００２８】
２  樹脂、９  半導体チップ、１２  第１のエミッタ電極、１３  第２のエミッタ電極、１４  配線、１５  配線部材、１５ａ  第１の接合部、１５ｂ  第２の接合部、１８  穴
【図１】
0006777157.tif 000002
【図２】
0006777157.tif 000003
【図３】
0006777157.tif 000004
【図４】
0006777157.tif 000005
【図５】
0006777157.tif 000006
【図６】
0006777157.tif 000007
【図７】
0006777157.tif 000008
【図８】
0006777157.tif 000009
【図９】
0006777157.tif 000010
【図１０】
0006777157.tif 000011
【図１１】
0006777157.tif 000012
【図１２】
0006777157.tif 000013
【図１３】
0006777157.tif 000014
【図１４】
0006777157.tif 000015
【図１５】
0006777157.tif 000016